(57)【要約】【課題】  利用者に負担をかけることなく、利用者が外出帰りであるか否かを正確に考慮して利用者に環境を提供することができる環境提供制御システム及び環境提供制御方法を提供する。【解決手段】  空調制御システム１は、空気調和機１０を制御する空調制御システムであって、推定部３３と判定部３４とを備える。空気調和機１０は、利用者Ｐに空調環境を提供する。推定部３３は、歩数情報に基づいて、利用者Ｐの活動量を推定する。歩数情報は、空気調和機１０の利用者Ｐの歩数に関する情報である。判定部３４は、利用者Ｐの活動量の情報に基づいて、利用者Ｐが外出帰りか否かを判定する。【選択図】      図１
2005345029.tif 000002
【特許請求の範囲】
【請求項１】
利用者に環境を提供する環境提供装置（１０）を制御する環境提供制御システム（１，１００）であって、
前記利用者の活動量を推定する推定部（３３，１３３）と、
前記利用者の前記活動量の情報に基づいて、前記利用者が外出帰りか否かを判定する判定部（３４）と、
を備えた、
環境提供制御システム（１，１００）。
【請求項２】
前記推定部（３３，１３３）は、前記環境提供装置（１０）の前記利用者の歩数に関する情報である歩数情報及び前記環境提供装置（１０）の前記利用者の地理的な位置に関する情報である位置情報の少なくとも一方に基づいて、前記利用者の活動量を推定する、
環境提供制御システム（１，１００）。
【請求項３】
前記歩数情報及び前記位置情報の少なくとも一方を検知する第１検知部（２１，１２１）をさらに備えた、
請求項２に記載の環境提供制御システム（１，１００）。
【請求項４】
前記位置情報は、前記環境提供装置（１０）の前記利用者の地理的な位置の変化する速度に関する情報である速度情報と前記速度を継続している時間に関する情報である継続時間情報とを含む、
請求項３に記載の環境提供制御システム（１，１００）。
【請求項５】
前記利用者付近の温度に関する情報である温度情報を検知する第２検知部（２２）をさらに備え、
前記推定部（３３，１３３）は、前記歩数情報及び前記位置情報の少なくとも一方と前記温度情報とに基づいて、前記利用者の前記活動量を推定する、
請求項２から４のいずれか１項に記載の環境提供制御システム（１，１００）。
【請求項６】
前記判定部（３４）が判定した結果の情報に基づいて、前記環境提供装置（１０）を制御する制御部（３２）をさらに備えた、
請求項２から５のいずれか１項に記載の環境提供制御システム（１，１００）。
【請求項７】
前記制御部（３２）は、前記利用者が外出帰りであると前記判定部（３４）が判定した場合、前記利用者の前記活動量の情報に基づいて、前記環境提供装置（１０）を制御する、
請求項６に記載の環境提供制御システム（１，１００）。
【請求項８】
前記環境提供装置（１０）は、空気調和機であり、
前記制御部（３２）は、前記環境提供装置（１０）から吹き出される空調空気の温度、前記環境提供装置（１０）から吹き出される空調空気の湿度、前記環境提供装置（１０）から吹き出される空調空気の風向、前記環境提供装置（１０）から吹き出される空調空気の風量、前記環境提供装置（１０）から吹き出される空調空気の清浄度、前記環境提供装置（１０）が行う換気量及び前記環境提供装置（１０）の運転時間の少なくとも１つを制御する、
請求項６又は７に記載の環境提供制御システム（１，１００）。
【請求項９】
利用者に環境を提供する環境提供装置（１０）が制御される環境提供制御方法であって、
前記環境提供装置（１０）の前記利用者の歩数に関する情報である歩数情報及び前記環境提供装置（１０）の前記利用者の地理的な位置に関する情報である位置情報の少なくとも一方に基づいて、前記利用者の活動量が推定される推定ステップと、
前記利用者の前記活動量の情報に基づいて、前記利用者が外出帰りか否かが判定される判定ステップと、
を備えた、
環境提供制御方法。
【発明の詳細な説明】
【技術分野】
【０００１】
本発明は、環境提供制御システム及び環境提供制御方法に関する。
【背景技術】
【０００２】
従来から、利用者に環境を提供する環境提供装置の利用者が外出帰りか否かを判定して、利用者が外出帰りであるか否かを考慮して利用者に環境を提供するシステムが提案されている（例えば、特許文献１参照）。
【特許文献１】特開平６−３２３６００（第１−５頁、第１−８図）
【発明の開示】
【発明が解決しようとする課題】
【０００３】
しかし、従来のシステムでは、利用者により前もって設定されたスケジュールの情報に基づいて利用者が外出帰りか否かが判定されているため、利用者の予定が変更された場合に、スケジュールの情報が設定し直されないことがあり、利用者が外出帰りか否かが正確に判定されないおそれがある。また、スケジュールの情報が設定し直される場合でも、利用者の予定が変更される毎にスケジュールの情報が設定し直される必要があり、利用者に負担となっている。
【０００４】
そこで、本発明の課題は、利用者に負担をかけることなく、利用者が外出帰りであるか否かを正確に考慮して利用者に環境を提供することができる環境提供制御システム及び環境提供制御方法を提供することにある。
【課題を解決するための手段】
【０００５】
第１発明に係る環境提供制御システムは、環境提供装置を制御する環境提供制御システムであって、推定部と判定部とを備える。環境提供装置は、利用者に環境を提供する。推定部は、利用者の活動量を推定する。歩数情報は、環境提供装置の利用者の歩数に関する情報である。位置情報は、環境提供装置の利用者の地理的な位置に関する情報である。判定部は、利用者の活動量の情報に基づいて、利用者が外出帰りか否かを判定する。
【０００６】
この環境提供制御システムでは、推定部が、利用者の活動量を推定する。判定部が、利用者の活動量の情報を受け取ることができる。判定部が、利用者の活動量の情報に基づいて、利用者が外出帰りか否かを判定する。
したがって、利用者の活動量に基づいて利用者が外出帰りか否かを判定するので、利用者の活動量に基づいて利用者が外出帰りか否かを正確に判定することができる。このため、判定部が判定した結果に基づいて環境提供装置を制御することができる。この結果、利用者に負担をかけることなく、利用者が外出帰りであるか否かを正確に考慮して利用者に環境を提供することができる。
【０００７】
第２発明に係る環境提供制御システムは、第１発明の環境提供制御システムであって、環境提供装置を制御する環境提供制御システムであって、推定部と判定部とを備える。環境提供装置は、利用者に環境を提供する。推定部は、歩数情報及び位置情報の少なくとも一方に基づいて、利用者の活動量を推定する。歩数情報は、環境提供装置の利用者の歩数に関する情報である。位置情報は、環境提供装置の利用者の地理的な位置に関する情報である。判定部は、利用者の活動量の情報に基づいて、利用者が外出帰りか否かを判定する。
【０００８】
この環境提供制御システムでは、推定部が、歩数情報及び位置情報の少なくとも一方を受け取ることができる。推定部が、歩数情報及び位置情報の少なくとも一方に基づいて、利用者の活動量を推定する。判定部が、利用者の活動量の情報を受け取ることができる。判定部が、利用者の活動量の情報に基づいて、利用者が外出帰りか否かを判定する。
したがって、歩数情報及び位置情報の少なくとも一方に基づいて利用者の活動量を推定するので、利用者の活動量を容易に推定することができる。
【０００９】
第３発明に係る環境提供制御システムは、第２発明の環境提供制御システムであって、第１検知部をさらに備える。第１検知部は、歩数情報及び位置情報の少なくとも一方を検知する。
この環境提供制御システムでは、第１検知部が、歩数情報及び位置情報の少なくとも一方を検知する。推定部が、歩数情報及び位置情報の少なくとも一方を受け取ることができる。推定部が、歩数情報及び位置情報の少なくとも一方に基づいて、利用者の活動量を推定する。判定部が、利用者の活動量の情報を受け取ることができる。判定部が、利用者の活動量の情報に基づいて、利用者が外出帰りか否かを判定する。
【００１０】
したがって、歩数情報及び位置情報の少なくとも一方を検知するので、歩数情報及び位置情報の少なくとも一方に基づいて利用者の活動量を推定することができる。
第４発明に係る環境提供制御システムは、第３発明の環境提供制御システムであって、位置情報は、速度情報と継続時間情報とを含む。速度情報は、環境提供装置の利用者の地理的な位置の変化する速度に関する情報である。継続時間情報は、速度を継続している時間に関する情報である。
【００１１】
この環境提供制御システムでは、第１検知部が、歩数情報及び位置情報の少なくとも一方を検知する。位置情報が、速度情報と継続時間情報とを含む。推定部が、歩数情報及び位置情報の少なくとも一方を受け取ることができる。推定部が、歩数情報及び位置情報の少なくとも一方に基づいて、利用者の活動量を推定する。判定部が、利用者の活動量の情報を受け取ることができる。判定部が、利用者の活動量の情報に基づいて、利用者が外出帰りか否かを判定する。
【００１２】
したがって、位置情報が速度情報と継続時間情報とを含むので、利用者が活動しているのか否かを推定することができる。このため、位置情報に基づいて利用者の活動量を推定することができる。
第５発明に係る環境提供制御システムは、第２発明から第４発明のいずれか環境提供制御システムであって、第２検知部をさらに備える。第２検知部は、温度情報を検知する。温度情報は、利用者付近の温度に関する情報である。推定部は、歩数情報及び位置情報の少なくとも一方と温度情報とに基づいて、利用者の活動量を推定する。
【００１３】
この環境提供制御システムでは、推定部が、歩数情報及び位置情報の少なくとも一方を受け取ることができる。第２検知部が、温度情報を検知する。推定部が、温度情報をさらに受け取ることができる。推定部が、歩数情報及び位置情報の少なくとも一方と温度情報とに基づいて、利用者の活動量を推定する。判定部が、利用者の活動量の情報を受け取ることができる。判定部が、利用者の活動量の情報に基づいて、利用者が外出帰りか否かを判定する。
【００１４】
したがって、歩数情報及び位置情報の少なくとも一方と温度情報とに基づいて利用者の活動量を推定するので、利用者が外出帰りであるか否かをさらに正確に判定することができる。
第６発明に係る環境提供制御システムは、第２発明から第５発明のいずれかの環境提供制御システムであって、制御部をさらに備える。制御部は、判定部が判定した結果の情報に基づいて、環境提供装置を制御する。
【００１５】
この環境提供制御システムでは、推定部が、歩数情報及び位置情報の少なくとも一方を受け取ることができる。推定部が、歩数情報及び位置情報の少なくとも一方に基づいて、利用者の活動量を推定する。判定部が、利用者の活動量の情報を受け取ることができる。判定部が、利用者の活動量の情報に基づいて、利用者が外出帰りか否かを判定する。制御部が、判定部が判定した結果の情報を受け取ることができる。制御部が、判定部が判定した結果の情報に基づいて、環境提供装置を制御する。
【００１６】
したがって、判定部が判定した結果の情報に基づいて環境提供装置を制御するので、利用者が外出帰りであるか否かを正確に考慮して利用者に環境を提供することができる。
第７発明に係る環境提供制御システムは、第６発明の環境提供制御システムであって、制御部は、利用者が外出帰りであると判定部が判定した場合、利用者の活動量の情報に基づいて、環境提供装置を制御する。
【００１７】
この環境提供制御システムでは、推定部が、歩数情報及び位置情報の少なくとも一方を受け取ることができる。推定部が、歩数情報及び位置情報の少なくとも一方に基づいて、利用者の活動量を推定する。判定部が、利用者の活動量の情報を受け取ることができる。判定部が、利用者の活動量の情報に基づいて、利用者が外出帰りか否かを判定する。制御部が、判定部が判定した結果の情報を受け取ることができる。制御部が、判定部が判定した結果の情報に基づいて、環境提供装置を制御する。制御部が、利用者が外出帰りであると判定部が判定した場合、利用者の活動量の情報に基づいて、環境提供装置を制御する。
【００１８】
したがって、利用者が外出帰りであると判定部が判定した場合に利用者の活動量の情報に基づいて環境提供装置を制御するので、利用者の外出時の活動による疲労を回復するように利用者に環境を提供することができる。
第８発明に係る環境提供制御システムは、第６発明又は第７発明の環境提供制御システムであって、環境提供装置は、空気調和機である。制御部は、環境提供装置から吹き出される空調空気の温度、環境提供装置から吹き出される空調空気の湿度、環境提供装置から吹き出される空調空気の風向、環境提供装置から吹き出される空調空気の風量、環境提供装置から吹き出される空調空気の清浄度、環境提供装置が行う換気量及び環境提供装置の運転時間の少なくとも１つを制御する。
【００１９】
この環境提供制御システムでは、推定部が、歩数情報及び位置情報の少なくとも一方を受け取ることができる。推定部が、歩数情報及び位置情報の少なくとも一方に基づいて、利用者の活動量を推定する。判定部が、利用者の活動量の情報を受け取ることができる。判定部が、利用者の活動量の情報に基づいて、利用者が外出帰りか否かを判定する。制御部が、判定部が判定した結果の情報を受け取ることができる。制御部が、判定部が判定した結果の情報に基づいて、環境提供装置を制御する。環境提供装置が、空気調和機である。制御部が、環境提供装置から吹き出される空調空気の温度、環境提供装置から吹き出される空調空気の湿度、環境提供装置から吹き出される空調空気の風向、環境提供装置から吹き出される空調空気の風量、環境提供装置から吹き出される空調空気の清浄度、環境提供装置が行う換気量及び環境提供装置の運転時間の少なくとも１つを制御する。
【００２０】
したがって、環境提供装置が空気調和機であるので、判定部が判定した結果に基づいて空気調和機を制御することができる。このため、利用者に負担をかけることなく、利用者が外出帰りであるか否かを正確に考慮して利用者に空調環境を提供することができる。
第９発明に係る環境提供制御方法は、環境提供装置が制御される環境提供制御方法であって、推定ステップと判定ステップとを備える。環境提供装置は、利用者に環境を提供する。推定ステップでは、歩数情報及び位置情報の少なくとも一方に基づいて、利用者の活動量が推定される。歩数情報は、環境提供装置の利用者の歩数に関する情報である。位置情報は、環境提供装置の利用者の地理的な位置に関する情報である。判定ステップでは、利用者の活動量の情報に基づいて、利用者が外出帰りか否かが判定される。
【００２１】
この環境提供制御方法では、推定ステップにおいて、歩数情報及び位置情報の少なくとも一方が受け取られ得る。推定ステップにおいて、歩数情報及び位置情報の少なくとも一方に基づいて、利用者の活動量が推定される。判定ステップにおいて、利用者の活動量の情報が受け取られ得る。判定ステップにおいて、利用者の活動量の情報に基づいて、利用者が外出帰りか否かが判定される。
【００２２】
したがって、利用者の活動量に基づいて利用者が外出帰りか否かを判定するので、利用者の活動量に基づいて利用者が外出帰りか否かを正確に判定することができる。このため、判定ステップで判定された結果に基づいて環境提供装置を制御することができる。この結果、利用者に負担をかけることなく、利用者が外出帰りであるか否かを正確に考慮して利用者に環境を提供することができる。
【発明の効果】
【００２３】
第１発明に係る環境提供制御システムでは、利用者の活動量に基づいて利用者が外出帰りか否かを判定するので、利用者の活動量に基づいて利用者が外出帰りか否かを正確に判定することができる。このため、判定部が判定した結果に基づいて環境提供装置を制御することができる。この結果、利用者に負担をかけることなく、利用者が外出帰りであるか否かを正確に考慮して利用者に環境を提供することができる。
【００２４】
第２発明に係る環境提供制御システムでは、歩数情報及び位置情報の少なくとも一方に基づいて利用者の活動量を推定するので、利用者の活動量を容易に推定することができる。
第３発明に係る環境提供制御システムでは、歩数情報及び位置情報の少なくとも一方を検知するので、歩数情報及び位置情報の少なくとも一方に基づいて利用者の活動量を推定することができる。
【００２５】
第４発明に係る環境提供制御システムでは、位置情報が速度情報と継続時間情報とを含むので、利用者が活動しているのか否かを推定することができる。このため、位置情報に基づいて利用者の活動量を推定することができる。
第５発明に係る環境提供制御システムでは、歩数情報及び位置情報の少なくとも一方と温度情報とに基づいて利用者の活動量を推定するので、利用者が外出帰りであるか否かをさらに正確に判定することができる。
【００２６】
第６発明に係る環境提供制御システムでは、判定部が判定した結果の情報に基づいて環境提供装置を制御するので、利用者が外出帰りであるか否かを正確に考慮して利用者に環境を提供することができる。
第７発明に係る環境提供制御システムでは、利用者が外出帰りであると判定部が判定した場合に利用者の活動量の情報に基づいて環境提供装置を制御するので、利用者の外出時の活動による疲労を回復するように利用者に環境を提供することができる。
【００２７】
第８発明に係る環境提供制御システムでは、環境提供装置が空気調和機であるので、判定部が判定した結果に基づいて空気調和機を制御することができる。このため、利用者に負担をかけることなく、利用者が外出帰りであるか否かを正確に考慮して利用者に空調環境を提供することができる。
第９発明に係る環境提供制御方法では、利用者の活動量に基づいて利用者が外出帰りか否かを判定するので、利用者の活動量に基づいて利用者が外出帰りか否かを正確に判定することができる。このため、判定ステップで判定された結果に基づいて環境提供装置を制御することができる。この結果、利用者に負担をかけることなく、利用者が外出帰りであるか否かを正確に考慮して利用者に環境を提供することができる。
【発明を実施するための最良の形態】
【００２８】
［第１実施形態］
図１に、本発明の第１実施形態にかかる空調制御システム１の構成図を示す。また、本発明の第１実施形態にかかる空調制御システム１の構成要素の構成図を図２に示す。空調制御システム１は、主として空気調和機１０を制御するためのシステムである。
＜空調制御システム１の全体構成＞
図１に示す空調制御システム１は、主として、万歩計（登録商標、以下同様）２０、制御装置３０及び空気調和機１０を備える。万歩計２０は、空気調和機１０の利用者Ｐに携帯される。制御装置３０及び空気調和機１０は、室内２に設置される。
【００２９】
＜万歩計２０の構成＞
図１に示す万歩計２０は、図２に示すように、主として、第１検知部２１、制御部２３及び送信部２５を備える。
第１検知部２１が、歩数情報を検知する。ここで、歩数情報は、空気調和機１０の利用者Ｐ（図１参照）の歩数に関する情報である。制御部２３が、歩数情報を第１検知部２１から受け取り送信部２５へ渡す。送信部２５が、歩数情報を無線回線経由で制御装置３０へ送信する。
【００３０】
＜制御装置３０の構成＞
図１に示す制御装置３０は、図２に示すように、主として、受信部３１、制御部３２、推定部３３及び判定部３４を備える。
受信部３１が、歩数情報を無線回線経由で万歩計２０から受信する。推定部３３が、歩数情報を受信部３１から受け取る。推定部３３が、歩数情報に基づいて、利用者の活動量を推定する。判定部３４が、利用者Ｐ（図１参照）の活動量の情報を制御部３２経由で推定部３３から受け取る。判定部３４が、利用者Ｐ（図１参照）の活動量の情報に基づいて、利用者Ｐ（図１参照）が外出帰りか否かを判定する。制御部３２が、判定部３４が判定した結果の情報を判定部３４から受け取る。制御部３２が、判定部３４が判定した結果の情報に基づいて、空気調和機１０を制御するための制御信号を生成する。制御部３２が、利用者Ｐ（図１参照）が外出帰りであると判定部３４が判定した場合、利用者Ｐ（図１参照）の活動量の情報に基づいて、空気調和機１０を制御するための制御信号を生成する。制御部３２が、制御信号を空気調和機１０へ渡す。
【００３１】
＜空気調和機１０の構成＞
図１に示す空気調和機１０は、通常の空気調和機である。
図１に示す空気調和機１０は、制御信号を制御装置３０から受け取り、制御信号に基づいて利用者Ｐ（図１参照）に空調環境を提供する。
＜空調制御システム１が空気調和機１０を制御する処理の流れ＞
図１に示す空調制御システム１が空気調和機１０を制御する処理の流れを、図３に示すフローチャートを用いて説明する。
【００３２】
図３に示すステップＳ１では、歩数情報が検知される。すなわち、図２に示す万歩計２０の第１検知部２１により、歩数情報が検知される。ここで、歩数情報は、空気調和機１０の利用者Ｐ（図１参照）の歩数に関する情報である。制御部２３により、歩数情報が第１検知部２１から受け取られ送信部２５へ渡される。
図３に示すステップＳ２では、歩数情報が送信される。すなわち、図２に示す万歩計２０の送信部２５により、歩数情報が無線回線経由で制御装置３０へ送信される。制御装置３０の受信部３１により、歩数情報が無線回線経由で万歩計２０から受信される。
【００３３】
図３に示すステップＳ３では、活動量が推定される。すなわち、図２に示す制御装置３０の推定部３３により、歩数情報が受信部３１受け取られる。推定部３３により、歩数情報に基づいて、利用者Ｐ（図１参照）の活動量が推定される。
図３に示すステップＳ４では、利用者が外出帰りであるか否かが判断される。すなわち、図２に示す制御装置３０の判定部３４により、利用者Ｐ（図１参照）の活動量の情報が制御部３２経由で推定部３３から受け取られる。判定部３４により、利用者Ｐ（図１参照）の活動量の情報に基づいて、利用者Ｐ（図１参照）が外出帰りか否かが判定される。外出帰りであると判定された場合、ステップＳ５へ進められ、外出帰りでないと判定された場合、ステップＳ６へ進められる。
【００３４】
図３に示すステップＳ５では、外出帰りモード処理が行われる。
図３に示すステップＳ６では、通常モード処理が行われる。すなわち、図２に示す制御装置３０の制御部３２により、通常モード処理の制御信号が生成される。制御部３２により、制御信号が空気調和機１０へ渡される。図１に示す空気調和機１０により、制御信号が制御装置３０から受け取られ、制御信号に基づいて利用者Ｐ（図１参照）に空調環境が提供される。
【００３５】
＜外出帰りモード処理Ｓ５の流れ＞
図３に示す外出帰り処理Ｓ５の詳細を、図４に示すフローチャートを用いて説明する。
図４に示すステップＳ１１では、活動量が大きいか否かが判断される。すなわち、図２に示す制御装置３０の制御部３２により、利用者Ｐ（図１参照）の活動量が大きいか否かが判断される。活動量が大きいと判断された場合、ステップＳ１２へ進められ、活動量が大きくないと判断された場合、ステップＳ１３へ進められる。
【００３６】
図４に示すステップＳ１２では、第１パターンで空気調和機が制御される。すなわち、図２に示す制御装置３０の制御部３２により、第１パターンの制御信号が生成される。例えば、設定温度が２４℃であり、風力が強であり、運転モードが冷房であり、風向が利用者Ｐ（図１参照）に向けた方向であり、運転時間が１０分であるような制御信号が生成される。なお、１０分経過後は、通常の場合（図３に示すステップＳ４で外出帰りであると判定されなかった場合）、通常モード処理の制御信号が生成されることになる。制御部３２により、制御信号が空気調和機１０へ渡される。図１に示す空気調和機１０により、制御信号が制御装置３０から受け取られ、制御信号に基づいて利用者Ｐ（図１参照）に空調環境が提供される。
【００３７】
図４に示すステップＳ１３では、第２パターンで空気調和機が制御される。すなわち、図２に示す制御装置３０の制御部３２により、第２パターンの制御信号が生成される。例えば、設定温度が２６℃であり、風力が弱であり、運転モードが冷房であり、風向が利用者Ｐ（図１参照）に向けた方向であり、運転時間が１０分であるような制御信号が生成される。なお、１０分経過後は、通常の場合（図３に示すステップＳ４で外出帰りであると判定されなかった場合）、通常モード処理の制御信号が生成されることになる。制御部３２により、制御信号が空気調和機１０へ渡される。図１に示す空気調和機１０により、制御信号が制御装置３０から受け取られ、制御信号に基づいて利用者Ｐ（図１参照）に空調環境が提供される。
【００３８】
＜空調制御システム１に関する特徴＞
（１）
ここでは、図２に示す推定部３３が、歩数情報を、制御部２３と送信部２５と無線回線と受信部３１と制御部３２とを経由して万歩計２０の第１検知部２１から受け取る。推定部３３が、歩数情報に基づいて、利用者Ｐ（図１参照）の活動量を推定する。判定部３４が、利用者Ｐ（図１参照）の活動量の情報を制御部３２経由で推定部３３から受け取る。判定部３４が、利用者Ｐ（図１参照）の活動量の情報に基づいて、利用者Ｐ（図１参照）が外出帰りか否かを判定する。
【００３９】
したがって、図１に示す利用者Ｐの活動量に基づいて利用者Ｐが外出帰りか否かを判定するので、利用者Ｐの活動量に基づいて利用者Ｐが外出帰りか否かを正確に判定することが可能である。このため、判定部３４（図２参照）が判定した結果に基づいて空気調和機１０を制御することが可能である。この結果、利用者Ｐに負担をかけることなく、利用者Ｐが外出帰りであるか否かを正確に考慮して利用者Ｐに環境を提供することが可能である。
【００４０】
（２）
ここでは、図２に示す第１検知部２１が、歩数情報を検知する。推定部３３が、歩数情報を、制御部２３と送信部２５と無線回線と受信部３１と制御部３２とを経由して万歩計２０の第１検知部２１から受け取る。推定部３３が、歩数情報に基づいて、利用者Ｐ（図１参照）の活動量を推定する。判定部３４が、利用者Ｐ（図１参照）の活動量の情報を制御部３２経由で推定部３３から受け取る。判定部３４が、利用者Ｐ（図１参照）の活動量の情報に基づいて、利用者Ｐ（図１参照）が外出帰りか否かを判定する。
【００４１】
したがって、歩数情報を検知するので、歩数情報に基づいて利用者Ｐ（図１参照）の活動量を推定することが可能である。
（３）
ここでは、図２に示す推定部３３が、歩数情報を、制御部２３と送信部２５と無線回線と受信部３１と制御部３２とを経由して万歩計２０の第１検知部２１から受け取る。推定部３３が、歩数情報に基づいて、利用者Ｐ（図１参照）の活動量を推定する。判定部３４が、利用者Ｐ（図１参照）の活動量の情報を制御部３２経由で推定部３３から受け取る。判定部３４が、利用者Ｐ（図１参照）の活動量の情報に基づいて、利用者Ｐ（図１参照）が外出帰りか否かを判定する。制御部３２が、判定部３４が判定した結果の情報を判定部３４から受け取る。制御部３２が、判定部３４が判定した結果の情報に基づいて、空気調和機１０を制御する。
【００４２】
したがって、判定部３４が判定した結果の情報に基づいて空気調和機１０を制御するので、利用者Ｐ（図１参照）が外出帰りであるか否かを正確に考慮して利用者Ｐ（図１参照）に環境を提供することが可能である。
（４）
ここでは、図２に示す推定部３３が、歩数情報を、制御部２３と送信部２５と無線回線と受信部３１と制御部３２とを経由して万歩計２０の第１検知部２１から受け取る。推定部３３が、歩数情報に基づいて、利用者Ｐ（図１参照）の活動量を推定する。判定部３４が、利用者Ｐ（図１参照）の活動量の情報を制御部３２経由で推定部３３から受け取る。判定部３４が、利用者Ｐ（図１参照）の活動量の情報に基づいて、利用者Ｐ（図１参照）が外出帰りか否かを判定する。制御部３２が、判定部３４が判定した結果の情報を判定部３４から受け取る。制御部３２が、判定部３４が判定した結果の情報に基づいて、空気調和機１０を制御する。制御部３２が、利用者Ｐ（図１参照）が外出帰りであると判定部３４が判定した場合、利用者Ｐ（図１参照）の活動量の情報に基づいて、空気調和機１０を制御する。
【００４３】
したがって、利用者Ｐ（図１参照）が外出帰りであると判定部３４が判定した場合に利用者Ｐ（図１参照）の活動量の情報に基づいて空気調和機１０を制御するので、利用者Ｐ（図１参照）の外出時の活動による疲労を回復するように利用者Ｐ（図１参照）に環境を提供することが可能である。
（５）
ここでは、図２に示す推定部３３が、歩数情報を、制御部２３と送信部２５と無線回線と受信部３１と制御部３２とを経由して万歩計２０の第１検知部２１から受け取る。推定部３３が、歩数情報に基づいて、利用者Ｐ（図１参照）の活動量を推定する。判定部３４が、利用者Ｐ（図１参照）の活動量の情報を制御部３２経由で推定部３３から受け取る。判定部３４が、利用者Ｐ（図１参照）の活動量の情報に基づいて、利用者Ｐ（図１参照）が外出帰りか否かを判定する。制御部３２が、判定部３４が判定した結果の情報を判定部３４から受け取る。制御部３２が、判定部３４が判定した結果の情報に基づいて、空気調和機１０を制御する。制御部３２が、空気調和機１０から吹き出される空調空気の温度、環境提供装置から吹き出される空調空気の風力、環境提供装置から吹き出される空調空気の風向及び環境提供装置の運転時間を制御する。
【００４４】
したがって、判定部３４が判定した結果に基づいて空気調和機１０を詳細に制御することが可能である。このため、利用者Ｐに負担をかけることなく、利用者Ｐが外出帰りであるか否かを正確に考慮して利用者Ｐに空調環境を提供することが可能である。
＜第１実施形態の変形例＞
（Ａ）図２に示す万歩計２０は、第２検知部２２をさらに備えてもよい。第２検知部２２は、温度情報を検知する。ここで、温度情報は、利用者Ｐ（図１参照）付近の温度に関する情報である。制御部２３が、温度情報を第２検知部２２から受け取り送信部２５へ渡す。送信部２５が、温度情報を無線回線経由で制御装置３０へ送信する。制御装置３０の受信部３１が、温度情報を無線回線経由で万歩計２０から受信する。推定部３３が、温度情報を制御部３２経由で受信部３１から受け取る。
【００４５】
この場合、図１に示す空調制御システム１が空気調和機１０を制御する処理の流れが、図５に示すように、次の点で第１実施形態と異なる。なお、図５において、第１実施形態と同様の処理は、同じ記号で示し説明を省略する。
図５に示すステップＳ２１では、温度情報が検知される。すなわち、図２に示す万歩計２０の第２検知部２２により、温度情報が検知される。ここで、温度情報は、利用者Ｐ（図１参照）付近の温度に関する情報である。制御部２３により、温度情報が第２検知部２２から受け取られ送信部２５へ渡される。
【００４６】
図５に示すステップＳ２２では、温度情報が送信される。すなわち、図２に示す万歩計２０の送信部２５により、温度情報が無線回線経由で制御装置３０へ送信される。制御装置３０の受信部３１により、温度情報が無線回線経由で万歩計２０から受信される。
図５に示すステップＳ２３では、活動量が推定される。すなわち、図２に示す制御装置３０の推定部３３により、歩数情報と温度情報とが受信部３１から受け取られる。推定部３３により、歩数情報と温度情報とに基づいて、利用者Ｐ（図１参照）の活動量が推定される。
【００４７】
図５に示すステップＳ２４では、外出帰りモード処理が行われる。
また、図５に示す外出帰りモード処理Ｓ２４の流れが、図６に示すように、次の点で第１実施形態と異なる。なお、図６において、第１実施形態と同様の処理は、同じ記号で示し説明を省略する。
図６に示すステップＳ３１では、３０℃以上であるか否かが判断される。すなわち、図２に示す制御装置３０の制御部３２により、外気の温度が３０℃以上であるか否かが判断される。３０℃以上であると判断された場合、ステップＳ１１へ進められ、３０℃以上でないと判断された場合、ステップＳ３２へ進められる。
【００４８】
図６に示すステップＳ３２では、活動量が大きいか否かが判断される。すなわち、図２に示す制御装置３０の制御部３２により、利用者Ｐ（図１参照）の活動量が大きいか否かが判断される。活動量が大きいと判断された場合、ステップＳ３３へ進められ、活動量が大きくないと判断された場合、ステップＳ３４へ進められる。
図６に示すステップＳ３３では、第３パターンで空気調和機が制御される。すなわち、図２に示す制御装置３０の制御部３２により、第３パターンの制御信号が生成される。例えば、設定温度が２６℃であり、風力が強であり、運転モードが冷房であり、風向が利用者Ｐ（図１参照）に向けた方向であり、運転時間が１０分であるような制御信号が生成される。制御部３２により、制御信号が空気調和機１０へ渡される。図１に示す空気調和機１０により、制御信号が制御装置３０から受け取られ、制御信号に基づいて利用者Ｐ（図１参照）に空調環境が提供される。
【００４９】
図６に示すステップＳ３４では、第４パターンで空気調和機が制御される。すなわち、図２に示す制御装置３０の制御部３２により、第４パターンの制御信号が生成される。例えば、設定温度が２６℃であり、風力が弱であり、運転モードが冷房であり、風向が利用者Ｐ（図１参照）以外の方向であり、運転時間が５分であるような制御信号が生成される。制御部３２により、制御信号が空気調和機１０へ渡される。図１に示す空気調和機１０により、制御信号が制御装置３０から受け取られ、制御信号に基づいて利用者Ｐ（図１参照）に空調環境が提供される。
【００５０】
したがって、歩数情報と温度情報とに基づいて利用者Ｐ（図１参照）の活動量を推定するので、利用者Ｐ（図１参照）が外出帰りであるか否かをさらに正確に判定することが可能である。
（Ｂ）図１に示す空気調和機１０は、照明装置、音響装置、発臭装置などであってもよい。この場合、利用者に負担をかけることなく、利用者が外出帰りであるか否かを正確に考慮して利用者に照明環境、音響環境、臭いの環境などを提供することができる。
【００５１】
（Ｃ）図１に示すように、制御装置３０は、空気調和機１０へ配線を介して接続されている代わりに、空気調和機１０の内部に組み込まれていてもよい。あるいは、制御装置３０は、空気調和機１０へネットワーク介して接続されていてもよい。
（Ｄ）第１実施形態の変形例（Ａ）において、温度情報は、第２検知部２２で検知されたものでなくてもよい。例えば、気象情報に基づいて、温度情報を取得してもよい。このとき、図５に示すステップＳ２１において、温度情報が検知される代わりに、温度情報が外部から取得されることになる。
【００５２】
（Ｅ）図２に示す制御部３２は、空気調和機１０から吹き出される空調空気の温度、空気調和機１０から吹き出される空調空気の湿度、空気調和機１０から吹き出される空調空気の風向、空気調和機１０から吹き出される空調空気の風量、空気調和機１０から吹き出される空調空気の清浄度、空気調和機１０が行う換気量及び空気調和機１０の運転時間の少なくとも１つを制御してもよい。
【００５３】
（Ｆ）図２に示すように、万歩計２０は、記憶部２４をさらに備えてもよい。記憶部２４は、第１検知部２１が検知した歩数情報の履歴を記憶してもよい。記憶部２４は、第２検知部２２が検知した温度情報の履歴を記憶してもよい。この場合、万歩計２０と制御装置３０とは、有線回線経由で通信してもよい。すなわち、利用者Ｐ（図１参照）が帰宅した際などに、万歩計２０が有線回線経由で制御装置３０と接続され、記憶部２４に記憶された歩数情報や温度情報などが制御装置３０へ送信されてもよい。あるいは、利用者Ｐ（図１参照）が帰宅した際などに、記憶部２４に記憶された歩数情報や温度情報などが無線回線経由で制御装置３０へ送信されてもよい。あるいは、所定時間毎に、記憶部２４に記憶された歩数情報や温度情報などが無線回線経由で制御装置３０へ送信されてもよい。
【００５４】
［第２実施形態］
本発明の第２実施形態にかかる空調制御システム１００を図７に示す。また、空調制御システム１００の構成要素の構成図を図８に示す。図７において、図１，図２の空調制御システム１の構成要素と同様の構成要素は同じ番号で示してある。空調制御システム１００は、主として空気調和機１０を制御するためのシステムである。
【００５５】
この空調制御システム１００は、基本的な構造は第１実施形態と同様であるが、位置検出センター１４０がさらに備えられている点と、利用者Ｐが携帯しているのがＧＰＳ装置１２０である点とで第１実施形態と異なる。図８に示すように、ＧＰＳ装置１２０の第１検知部１２１は、制御部１２３と送受信部１２５と無線回線とを経由して位置検出センター１４０と情報の受け渡しを行うことにより、位置情報を検出する。ここで、位置情報は、空気調和機１０の利用者Ｐの地理的な位置に関する情報である。制御部１２３が、位置情報を第１検知部１２１から受け取り送信部１２５へ渡す。送信部１２５が、位置情報を無線回線経由で制御装置１３０へ送信する。制御装置１３０の受信部１３１が、位置情報を無線回線経由でＧＰＳ装置１２０から受信する。推定部１３３が、位置情報を制御部１３２経由で受信部１３１から受け取る。推定部１３３が、位置情報に基づいて、利用者Ｐ（図７参照）の活動量を推定する。したがって、位置情報を検知するので、位置情報に基づいて利用者Ｐ（図７参照）の活動量を推定することが可能である。これらの点で第１実施形態と異なる。
【００５６】
また、図７に示す空調制御システム１００が空気調和機１０を制御する処理の流れが、図９に示すように、次の点で第１実施形態と異なる。なお、図９において、第１実施形態と同様の処理は、同じ記号で示し説明を省略する。
図９に示すステップＳ４１では、位置情報が検知される。すなわち、図８に示すＧＰＳ装置１２０の第１検知部１２１により、制御部１２３と送受信部１２５と無線回線とを経由して位置検出センター１４０と情報の受け渡しが行われることにより、位置情報が検出される。ここで、位置情報は、空気調和機１０の利用者Ｐ（図７参照）の地理的な位置に関する情報である。制御部１２３により、位置情報が第１検知部１２１から受け取られ送信部１２５へ渡される。
【００５７】
図９に示すステップＳ４２では、位置情報が送信される。すなわち、図８に示すＧＰＳ装置１２０の送信部１２５が、位置情報を無線回線経由で制御装置１３０へ送信する。制御装置１３０の受信部１３１が、位置情報を無線回線経由でＧＰＳ装置１２０から受信する。
図３に示すステップＳ４３では、活動量が推定される。すなわち、図８に示す制御装置１３０の推定部１３３により、位置情報が制御部１３２経由で受信部１３１から受け取られる。推定部１３３により、位置情報に基づいて、利用者Ｐ（図７参照）の活動量が推定される。
【００５８】
図７に示す利用者Ｐの活動量に基づいて利用者Ｐが外出帰りか否かを判定するので、利用者Ｐの活動量に基づいて利用者Ｐが外出帰りか否かを正確に判定することが可能である点は、第１実施形態と同様である。このため、判定部３４（図８参照）が判定した結果に基づいて空気調和機１０を制御することが可能である点も、第１実施形態と同様である。したがって、このような空調制御システム１００によっても、利用者Ｐに負担をかけることなく、利用者Ｐが外出帰りであるか否かを正確に考慮して利用者Ｐに環境を提供することが可能である。
【００５９】
＜第２実施形態の変形例＞
（Ａ）図８に示すＧＰＳ装置１２０は、第２検知部２２をさらに備えてもよい。第２検知部２２は、温度情報を検知する。ここで、温度情報は、利用者Ｐ（図７参照）付近の温度に関する情報である。制御部１２３が、温度情報を第２検知部２２から受け取り送信部１２５へ渡す。送信部１２５が、温度情報を無線回線経由で制御装置１３０へ送信する。制御装置１３０の受信部１３１が、温度情報を無線回線経由でＧＰＳ装置１２０から受信する。推定部１３３が、温度情報を制御部１３２経由で受信部１３１から受け取る。
【００６０】
この場合、図１に示す空調制御システム１が空気調和機１０を制御する処理の流れが、図１０に示すように、次の点で第１実施形態及び第２実施形態と異なる。なお、図１０において、第１実施形態及び第２実施形態と同様の処理は、同じ記号で示し説明を省略する。
図１０に示すステップＳ５１では、活動量が推定される。すなわち、図２に示す制御装置１３０の推定部１３３により、位置情報と温度情報とが制御部１３２経由で受信部１３１から受け取られる。推定部１３３により、位置情報と温度情報とに基づいて、利用者Ｐ（図７参照）の活動量が推定される。
【００６１】
したがって、位置情報と温度情報とに基づいて利用者Ｐ（図７参照）の活動量を推定するので、利用者Ｐ（図７参照）が外出帰りであるか否かをさらに正確に判定することができる。
（Ｂ）図８に示すＧＰＳ装置１２０の第１検知部１２１は、歩数情報と位置情報とを検知してもよい。この場合、制御装置１３０の推定部１３３は、歩数情報と位置情報とに基づいて、利用者Ｐ（図７参照）の活動量を推定してもよい。あるいは、推定部１３３は、歩数情報と位置情報と温度情報とに基づいて、利用者Ｐ（図７参照）の活動量を推定してもよい。
【００６２】
（Ｃ）図８に示す第１検知部１２１が検知する位置情報は、速度情報と継続時間情報とを含んでもよい。ここで、速度情報は、空気調和機１０の利用者Ｐ（図７参照）の地理的な位置の変化する速度に関する情報である。継続時間情報は、速度を継続している時間に関する情報である。例えば、速度情報が１０ｋｍ／ｈ以下のとき、利用者Ｐ（図７参照）は歩行していると推定される。例えば、速度情報が１０ｋｍ／ｈ〜２０ｋｍ／ｈのとき、利用者Ｐ（図７参照）は駆け足で移動していると推定される。例えば、速度情報が４０ｋｍ／ｈ以上のとき、利用者Ｐ（図７参照）は乗り物で移動していると推定される。例えば、速度情報が速度の変化のパターンであるとき、渋滞時の自動車の速度の変化のパターンと自転車の速度の変化のパターンとは異なるので区別することができる。例えば、速度情報が速度の変化のパターンであるとき、通常走行時の自動車の速度の変化のパターンと自転車の速度の変化のパターンとは異なるので区別することができる。例えば、速度情報が速度の変化のパターンであるとき、渋滞時の自動車の速度の変化のパターンと歩行・駆け足の速度の変化のパターンとは異なるので区別することができる。例えば、速度情報が速度の変化のパターンであるとき、鉄道の速度の変化のパターンと歩行・駆け足の速度の変化のパターンとは異なるので区別することができる。
【００６３】
したがって、位置情報が速度情報と継続時間情報とを含むので、利用者Ｐ（図７参照）が活動しているのか否かを推定することができる。このため、位置情報に基づいて利用者Ｐ（図７参照）の活動量を推定することができる。
（Ｄ）第２実施形態の変形例（Ｃ）において、図８に示す推定部１３３は、利用者Ｐ（図７参照）が乗り物（自動車・鉄道など）で移動していると判断する場合、活動量が小さいと推定してもよい。推定部１３３は、利用者Ｐ（図７参照）が歩行・駆け足で移動していると判断する場合、活動量が大きいと推定してもよい。あるいは、推定部１３３は、活動量を多段階で推定してもよい。例えば、推定部１３３は、利用者Ｐ（図７参照）が乗り物（自動車・鉄道など）で移動していると判断する場合、活動量が小さいと推定してもよい。推定部１３３は、利用者Ｐ（図７参照）が歩行・駆け足・自転車で移動していると判断する場合、継続時間情報が１０分程度であれば、活動量が中ぐらいであると推定してもよい。推定部１３３は、利用者Ｐ（図７参照）が歩行・駆け足・自転車で移動していると判断する場合、継続時間情報が２０分以上であれば、活動量が大きいと推定してもよい。
【００６４】
（Ｅ）図８に示す第１検知部１２１は、ＧＰＳ装置でなく位置検出センター１４０に備えられていてもよい。この場合、位置情報が位置検出センター１４０から無線回線又は有線回線経由で制御装置１３０へ直接送信されることになる。
【産業上の利用可能性】
【００６５】
本発明にかかる環境提供制御システム及び環境提供制御方法は、利用者に負担をかけることなく、利用者が外出帰りであるか否かを正確に考慮して利用者に環境を提供することができるという効果を有し、環境提供制御システム及び環境提供制御方法等として有用である。
【図面の簡単な説明】
【００６６】
【図１】本発明の第１実施形態による空調制御システムの構成図。
【図２】本発明の第１実施形態による空調制御システムの構成要素の構成図。
【図３】空調制御システムが空気調和機を制御する処理の流れを示すフローチャート。
【図４】外出帰りモード処理を示すフローチャート。
【図５】空調制御システムが空気調和機を制御する処理の流れを示すフローチャート。
【図６】外出帰りモード処理を示すフローチャート。
【図７】本発明の第１実施形態による空調制御システムの構成図。
【図８】本発明の第１実施形態による空調制御システムの構成要素の構成図。
【図９】空調制御システムが空気調和機を制御する処理の流れを示すフローチャート。
【図１０】空調制御システムが空気調和機を制御する処理の流れを示すフローチャート。
【符号の説明】
【００６７】
１，１００  空調制御システム
２  室内
１０  空気調和機
２０  万歩計
３０，１３０  制御装置
１２０  ＧＰＳ装置
１４０  位置検出センター
【図１】
2005345029.tif 000003
【図２】
2005345029.tif 000004
【図３】
2005345029.tif 000005
【図４】
2005345029.tif 000006
【図５】
2005345029.tif 000007
【図６】
2005345029.tif 000008
【図７】
2005345029.tif 000009
【図８】
2005345029.tif 000010
【図９】
2005345029.tif 000011
【図１０】
2005345029.tif 000012